(57)【要約】      （修正有）【課題】マンホールからの熱気や臭気を遮断するためマンホール受枠に設けられる断熱蓋の取付け手段であって、複雑な構造を要せず、作用の性能に優れ、保管・運搬性に優れた断熱蓋係止金具を提供する。【解決手段】吊り金具２０と逸脱防止金具３０と固定金具４０とピン部材５０で構成され、吊り金具が、鉛直方向の本体部２１の上端外側に、受枠の取付座に備えた突起部に装着される突起受穴２３を有した支持部２２を備え、吊り金具の下部が、断熱蓋に固定される固定金具に、マンホール半径方向に垂直で水平に設けたピン部材の軸回りに回動自在に支持され、逸脱防止金具が、吊り金具の外側に、逸脱防止金具の逸脱防止当接部３２が吊り金具の支持部と適宜間隔をおいて下側になるよう形成され、下部がピン部材の軸回りに回動自在に固定金具に支持され、受枠の取付座を支持部と逸脱防止当接部との間で挟持するように配設されたことを特徴とする断熱蓋係止金具とする。【選択図】図３
0003216549.tif 000002
【実用新案登録請求の範囲】
【請求項１】
マンホール蓋の下側に設けられる断熱蓋を受枠に係止する金具であって、
吊り金具と逸脱防止金具と固定金具とピン部材で構成され、
本金具が受枠に装着された状態において、マンホール中心部から半径方向外側に見て、
前記吊り金具が、鉛直方向の本体部の上端外側に、受枠の取付座に備えた突起部に装着される突起受穴を有して下面が略水平に形成された支持部を備え、
該吊り金具の下部が、前記断熱蓋に固定される前記固定金具に、マンホール半径方向に垂直で水平に設けた前記ピン部材の軸回りに回動自在に支持され、
前記逸脱防止金具が、前記吊り金具の外側に、逸脱防止金具上端部の逸脱防止当接部が前記吊り金具の前記支持部の下面と適宜間隔をおいて下側になるように形成され、下部が前記ピン部材の軸回りに回動自在に前記固定金具に支持され、
前記受枠の取付座を前記支持部の下面と前記逸脱防止当接部との間で挟持するように配設されたことを特徴とする断熱蓋係止金具。
【考案の詳細な説明】
【技術分野】
【０００１】  本考案は、路面下に埋設された下水道のマンホールからの熱気や臭気を遮断する断熱蓋の取付け手段に関する。
【背景技術】
【０００２】  路面下に埋設された下水道の汚水管には生活排水や地熱により熱気が溜り、下水道に立設されたマンホールから熱気が地上に放出される。その熱気により、積雪地帯ではマンホール蓋の上の雪が融けて穴となり、その段差により車両等の通行に障害が生じていた。
この状況に対して、考案者らによる、マンホールの蓋の下側に設置し、マンホールの立坑部を断熱性を有した蓋材で熱気や臭気を遮蔽する断熱蓋として、マンホールの断熱防臭シートが開示されている（特許文献１参照）。また、断熱蓋の取付け手段に関しては、地下構造物内へ昇降するのに使用する種々の器具を取り付けられる取付座を設けた受枠の例（特許文献２参照）、断熱蓋を支持するために取付腕を設けた例（特許文献３参照）が開示されている。
【先行技術文献】
【特許文献】
【０００３】
【特許文献１】特許第４０３６２９３号公報（図１）
【特許文献２】実用新案登録第２５２５６５０号公報（図４）
【特許文献３】特開２０１２−１７２４３５号公報（図３）
【考案の概要】
【考案が解決しようとする課題】
【０００４】  特許文献１の発明であるマンホールの断熱防臭シートは、薄くて軟質かつ気密性のシートからなり、リング状の取付部から下方に倒立円錐又は角錐形状に胴部を設け、胴部の下端頂部から下方に雨水を流出させる弁部を連設して、取付部をマンホールの蓋と受枠の間に固定したものである。
特許文献２は、種々の器具を取り付けるための取付座をマンホール蓋受枠の内周に沿って複数の位置に備え、前記取付座は、受枠の嵌合面を切削加工するのにチャッキング可能な弓形状で平坦な棚部と、弦の略中央部分で棚部の上部に形成され器具を係合することのできる突起状の係止部とからなるとしている。
特許文献３は、倒立した頭切円錐形状の鋼板製の基板と、基板の中心の孔を侵入水や土砂の通過を許容して塞ぐ鋼板製の塞板と、基板の外周部と受枠の取付座の突起状の係止部の間に複数の鋼製の取付腕を設け、基板の外周部から下方に倒立円錐形状に胴部を設け、胴部の下端頂部から下方に雨水を流出させる弁部を連設したものである。【０００５】  断熱蓋の取付け方法は、一般に、マンホール下部からの気圧や水圧などの圧力に対応して、受枠や立坑部に各種の締結金具で固定したり、取付座となりそうな受枠の一部に載せてマンホール蓋で押さえるなどの方法がとられる。
特許文献１の取り付け方法は、円形リング状の取付部１１を受枠３の載置部に載せ、取付部の上に蓋４を載せて固定する。取付部１１の上に蓋４が載るため、取付け部１１の厚さは可能な限り薄く形成するのが望ましいとしている。
特許文献３の取付け方法は、代表例として特許文献２に示されるような、マンホール受枠の内周に、突起状の係止部を備えた取付座を有する場合に適用できる。基板１１の外周部に複数の鋼製の取付腕１３を設け、取付腕１３の先端部の取付孔１３ａが、受枠３の係止部３ｂに嵌まることにより、受枠３の取付座３ａに固定されるとしている。この発明では、人の転落防止のために鋼板製の基板１１と塞板１２を設けているのでその重量により取付腕の先端部の取付孔が係止部から逸脱する恐れは少ない。しかしながら、マンホールの蓋と受枠との接合面が垂直の形式の場合は、特許文献１の例のように、マンホール蓋で押し付けて固定する方法が可能であるが、蓋と受枠との接合面が傾斜している形式の場合は、受枠３の係止部上端と蓋の下面の間に隙間があり、マンホール蓋で押さえることができないので、取付腕などの取付け手段が受枠の係止部から逸脱する恐れがある。本考案は、これらの課題を解決した断熱蓋の取付け手段を提供するものである。
【課題を解決するための手段】
【０００６】上記の課題を解決するため、本考案は、マンホール蓋の下側に設けられる断熱蓋を、マンホール受枠に係止する取付け手段の金具であって、吊り金具と逸脱防止金具と固定金具とピン部材で構成され、マンホール受枠への装着状態においてマンホール中心部から外側の外周半径方向に見て、前記吊り金具が、鉛直方向の本体部の上端外側に、受枠の取付座に備えた突起部に装着される突起受穴を有し、下面が略水平な平面で形成された支持部を備え、
該吊り金具の下部が、前記断熱蓋に固定される前記固定金具に、マンホール半径方向に垂直で水平に設けた前記ピン部材の軸回りに回動自在に支持され、
前記逸脱防止金具が、前記吊り金具の外側（受枠内壁側）に、逸脱防止金具上端部の逸脱防止当接部が前記吊り金具の支持部の下面と適宜間隔をおいて下側になるように形成され、逸脱防止金具の下部が前記ピン部材の軸回りに回動自在に前記固定金具に支持され、
前記受枠の取付座を前記支持部の下面と前記逸脱防止当接部との間で挟持するように配設されたことを特徴とする断熱蓋係止金具とする。
【考案の効果】
【０００７】  本考案の断熱蓋係止金具によって、マンホール断熱蓋を確実に支持することがでる。本考案の断熱蓋係止金具を用いた断熱蓋は、マンホール蓋から侵入する雨水等の侵入物を下方の下水道に排出するとともに、前記下水道内の熱気や臭気が上方の前記マンホール蓋側に伝わるのを遮断する断熱蓋を提供することができる。
また、本考案の断熱蓋係止装置は吊り金具と逸脱防止金具を備えていて、工具などを使用せずに容易に装着できかつマンホール下部から気圧や水圧などの圧力に対応して、受枠からの逸脱を確実に防止できる。また、起伏自在で折り畳み可能にしたので、搬送、保管に有利である。
【図面の簡単な説明】
【０００８】
【図１】本考案の断熱蓋係止金具を断熱蓋に装着した状態を一部断面で示す実施例１の正面図である。
【図２】図１の平面図である。
【図３】断熱蓋係止金具を説明する斜視図である。
【図４】使用状態を示す説明図である。
【図５】折り畳んだ状態を示す説明図である。
【図６】実施例２の正面図である。
【考案を実施するための形態】
【０００９】  本考案を実施するための形態について、図を用いて詳細に説明する。
図１、図２に示すように、本考案に係る装置は、路面の下に埋設された下水道の上に垂設されたマンホールＡの蓋Ｂの下側に受枠Ｃから立坑部Ｄにかけて設置され、本考案では断熱シートを含めて断熱蓋と呼ぶ装置であって、マンホール蓋からの雨水等の侵入物を下方に排出するとともに、下水道の熱気や臭気をマンホール蓋側に伝わるのを遮断する装置である。
本考案の断熱蓋係止金具２は、断熱蓋１の外周近傍の複数個所に取り付けられ、マンホール蓋受枠の取付け部を利用して吊るして支持する方式の装置である。
【実施例１】
【００１０】  図１、図２に示すように、本考案の断熱蓋係止装置２は、マンホールの受枠Ｃに備えた取付座Ｃ１を利用して取り付ける。
マンホール蓋Ｂの受枠Ｃは丸型蓋用の蓋受枠であって、種々の器具を取り付けるための取付座Ｃ１を内周に沿って複数の位置に中心方向に突出して、本図の例では６か所等分の位置に備え、その取付座Ｃ１は水平で平坦な棚部Ｃ２と、この棚部の上部に水平断面が略長方形に形成された突起状の突起部Ｃ３とからなる。【００１１】  図において、本例の断熱防臭シート１０は、マンホール立坑部Ｄを閉塞する外周が円形の略倒立円錐形状の断熱蓋であって、倒立した頭切円錐形状の鋼板製の基板１１から下方に倒立円錐形状に胴部１４を設け、胴部１４の下端頂部から下方に弁部１５を連設している。基板１１の外径は立坑部Ｄの内径よりやや小径としている。胴部１４と弁部１５は薄くて軟質かつ気密性のシートからなる。シート胴部１４の外径は、受枠又は立坑部内壁のとの間の隙間を少なく密閉を効果的にするため、受枠Ｃ及び立坑部内径よりやや大径とする。雨水等を排出する弁部１５はシートを２枚合わせとし両側部を止着し上下を開放したものである。【００１２】  受枠Ｃへの取付け手段として、基板１１に複数の本考案の断熱蓋係止金具２を設ける。断熱蓋係止金具２は、吊り金具２０と逸脱防止金具３０と固定金具４０とピン部材５０で構成される。本例は図で径方向に対向する２か所に取り付けた例を示しているが、これが３か所以上であってもよく、取付け箇所を制限するものではない。断熱蓋係止金具２は基板１１に半径方向に垂直で水平な軸回りに回動自在で起伏自在に設けられ、断熱蓋係止金具２の上部先端が受枠Ｃの取付け部に装着されて固定される。【００１３】  図３に、本考案の断熱蓋係止金具２を斜視図で示す。
本考案の断熱蓋係止金具２は、吊り金具２０と逸脱防止金具３０と固定金具４０とピン部材５０で構成される。吊り金具２０は、マンホール受枠への装着状態において、マンホール中心から半径方向外側に見て、本例では鉛直な帯状板材の本体部２１の上端外側に、受枠Ｃの前記取付座Ｃ１の棚部Ｃ２の上部に備えた水平断面が略長方形の突起部Ｃ３を装着可能な切欠き状の突起受穴２３を備えた、下面が水平な面部で成る支持部２２を設ける。
本体部２１の下部の軸受部２４が、前記固定金具４０に半径方向に垂直で水平設けられた前記ピン部材５０を軸として回動自在に支持され起伏自在とする。本例の軸受部２４は帯状板材の本体部２１の下部の両辺が中心方向に曲げられてフランジ状となった側面部に軸穴を設けて成る。【００１４】  固定金具４０は本例では帯状板材で、水平なベース部４１と軸受部４２で成り、軸受部４２はベース部を垂直上方に曲げた側面部に軸穴を設けて形成される。ベース部が前記断熱蓋に平行にビス等の適宜締結手段４３で固定される。
ピン部材５０は、蝶番ピン５１と締結部材５２で成り、蝶番ピン５１は適宜両側にネジ等を設け、装着した金具の外側からナットなどの適宜の締結部材５２で締結する。【００１５】  つぎに、逸脱防止金具３０を設ける。本例ではその本体部３１が板状部材で前記吊り金具２０の外側（受枠内壁側）に配置され、本体部３１の両辺が前記吊り金具２０を間に挟んだ状態で中心方向に曲げられてフランジ状となった側面部を有して、側面部下部に軸穴を備えた軸受部３３を設ける。軸受部３３は前記ピン部材によってその軸回りに回動自在に前記固定金具４０に支持される。本体部３１及びその側面部の上端が後述する逸脱防止金具当接部３２となる。【００１６】  図４に断熱蓋係止金具２の作用を説明する。前記防臭シート型の断熱蓋の例で説明する。
図には、受枠Ｃの内周に設けられている棚部Ｃ２と突起部Ｃ３を備えた取付座Ｃ１が示されている。
（ａ）は、断熱蓋係止金具２を受枠Ｃ及び立坑部Ｄの内壁に装着した初期の段階を示し、前記断熱防臭シート１０をマンホール中心側に突出した取付座Ｃ１を超えて下側に押し下げて装着する。断熱防臭シートは変形が可能に柔軟に対応できる。この時、吊り金具２０と逸脱防止金具３０の上部は図で示すように取付座Ｃ１の上方に倒立した状態とする。
（ｂ）は、さらに断熱防臭シートを押し下げて、吊り金具２０の支持部２２に備えた切欠き状の突起受穴２３を突起部Ｃ３に装着した状況を示す。この時、逸脱防止金具３０は受枠Ｃ内壁と吊り金具２０の間にあって支障はない。
（ｃ）は、突起部Ｃ３に突起受穴２３を装着完了した状況を示し、支持部２２の下面が棚部Ｃ２に当接して支持される。これによって、断熱防臭シートが断熱蓋係止金具２によって支持される。
この状況で、逸脱防止金具３０は自身の重量によってピン部材５０回りに受枠内壁側に倒れて内壁に接した状態となる。これが本装置の設置完了の状態である。【００１７】（ｄ）は、マンホール下部の気圧や水圧等の圧力により防臭シートが押し上げられた状態を示す。この時、逸脱防止金具３０上端の逸脱防止金具当接部３２が取付座Ｃ１の棚部の下面Ｃ４に当接することによって上方移動が阻止され、かつ、突起部Ｃ３が棚部Ｃ２より上方に支持部２２より大きな高さｈを有しているので、突起受穴２３が突起部Ｃ３から逸脱することはない。これによって吊り金具２０が受枠Ｃの取付座Ｃ１から外れることはない。
なお、課題のところで触れたが、本例のように、蓋Ｂと受枠Ｃとの接合面Ｃ５が傾斜している形式である場合は、受枠Ｃの突起部Ｃ３の上端と蓋Ｂ１の下面の間に隙間があり、マンホール蓋で押さえることができないのであるが、前記のように本考案の断熱蓋係止金具２は受枠Ｃの取付座Ｃ１から外れることはない。【００１８】  前後したが、本装置のマンホールへの装着方法は、図２に示すように、マンホール受枠Ｃには中心に向けて突出した、図２の例では６か所の取付座Ｃ１があるので、外形が円形の本装置を水平にしたままでは装着することができない。このため、本装置を垂直にして、前記６か所の取付座の隣り合う間隙を通して下側に降ろした後、水平にして装着する。【００１９】  図５に断熱蓋係止金具２を折り畳んだ状態を示す。半径方向に垂直で水平な軸回りに回動自在にしたので折り畳み可能になり、搬送、保管に有利である。
【実施例２】
【００２０】  ここまで、断熱蓋が断熱防臭シートの場合の例で説明してきたが、本考案の断熱蓋係止金具２は前記の例に限らずに広く種々の形態の断熱蓋に使用できる。例として、図６に断熱蓋１が円形平板で構成された場合を実施例２として示す。受枠及び立坑部の内径を考慮した外形が円形で適宜厚さの断熱材で成る断熱蓋を利用した例であって、この取付け手段として、外周近傍の適宜箇所に本考案の断熱蓋係止金具２を半径方向に垂直で水平な軸回りに回動自在で起伏自在に取り付ける。吊り金具２０の突起受穴を受枠Ｃの棚部Ｃ２の突起部Ｃ３に装着し、逸脱防止金具３０によって逸脱することがないことなど、断熱蓋係止金具の形態、作用は実施例１と全く同じである。【００２１】  また、本考案の断熱蓋係止金具２は、ここまで説明してきた断熱蓋に限らず、マンホール内の構造物を吊り下げて設置する場合に広く使用できる。
【符号の説明】
【００２２】１  断熱蓋
２  断熱蓋係止金具
１０  断熱防臭シート
１１  基板
１４  胴部
１５  弁部
２０  吊り金具
２１  本体部
２２  支持部
２３  突起受穴
２４  吊り軸受部
３０  逸脱防止金具
３１  本体部
３２  逸脱防止金具当接部
３３  軸受部
４０  固定金具
４１  ベース部
４２  軸受部
４３  締結手段
５０  ピン部材
５１  蝶番ピン
５２  締結部材
Ａ  マンホール
Ｂ  マンホール蓋
Ｃ  受枠
Ｃ１  取付座
Ｃ２  棚部
Ｃ３  突起部
Ｄ  立坑部
【図１】
0003216549.tif 000003
【図２】
0003216549.tif 000004
【図３】
0003216549.tif 000005
【図４】
0003216549.tif 000006
【図５】
0003216549.tif 000007
【図６】
0003216549.tif 000008